(57)【要約】【課題】本発明の目的は、ポンプディスペンサーを片方の手で握ったままの状態で、トリガーの動きを拘束するストッパを解除できるトリガー付きポンプディスペンサーを提供すること。【解決手段】トリガー４ｃの動きをストッパ４ｅで阻止する構造のトリガー付きポンプディスペンサー１であって、ストッパの基部４ｅ１はディスペンサーの胴部４ａにヒンジ結合され、ストッパの先端部は、下方に付勢された状態でトリガーに掛止され、トリガーを動かすことで該掛止が解除されるトリガー付きポンプディスペンサーである。  前記ストッパの先端部が、トリガーから突設された弾圧片により下方に付勢された状態でトリガーに掛止される。  或いは、前記トリガーには受け穴が形成されており、該受け穴の内壁にストッパの二股状先端部がその上側の股片により下方に付勢された状態で掛止されている。【選択図】  図２
2006116407.tif 000002
【特許請求の範囲】
【請求項１】
トリガーの動きをストッパで阻止する構造のトリガー付きポンプディスペンサーであって、
ストッパの基部はディスペンサーの胴部にヒンジ結合され、
ストッパの先端部は、下方に付勢された状態でトリガーに掛止され、
トリガーを動かすことで該掛止が解除されることを特徴とするトリガー付きポンプディスペンサー。
【請求項２】
前記ストッパの先端部が、トリガーから突設された弾圧片により下方に付勢された状態でトリガーに掛止されることを特徴とする請求項１に記載のトリガー付きポンプディスペンサー。
【請求項３】
前記トリガーには受け穴が形成されており、該受け穴の内壁にストッパの二股状先端部がその上側の股片により下方に付勢された状態で掛止されていることを特徴とする請求項１に記載のトリガー付きポンプディスペンサー。
【請求項４】
前記ストッパとの掛止を解く方向に前記トリガーの先端部を回動させた場合に、前記二股状先端部の下側の股片が前記トリガーの受け穴の内壁から外れ、上側の股片の弾圧力によりストッパが強制的に下方に押し下げられるものであることを特徴とする請求項３に記載のトリガー付きポンプディスペンサー。
【請求項５】
前記ストッパは、垂直方向に位置した状態で（ディスペンサーの胴部に取り付けられたキャップに沿った状態で）、その基部がディスペンサーの胴部から突設された突出部に係合されることを特徴とする請求項１に記載のトリガー付きポンプディスペンサー。
【請求項６】
前記トリガーには受け穴が形成されており、該受け穴の内壁と下側のストッパの先端が係止されるものであることを特徴とする請求項１に記載のトリガー付きポンプディスペンサー。
【請求項７】
請求項１ないし請求項６のいずれか１項に記載のトリガー付きポンプディスペンサーが、ピストン上下移動型であることを特徴とするトリガー付きポンプディスペンサー。
【請求項８】
請求項１ないし請求項６のいずれか１項に記載のトリガー付きポンプディスペンサーが、ピストン左右移動型であることを特徴とするトリガー付きポンプディスペンサー。
【発明の詳細な説明】
【技術分野】
【０００１】
本発明は、トリガーを引くことによりピストンが下降する又はピストンが右移動するトリガー付きポンプディスペンサーに関する。
特に、ヒンジ部を介して取り付けられたストッパによりトリガーが拘束されるトリガー付きポンプディスペンサーに関する。
【背景技術】
【０００２】
従来、図１２に示すような構造のトリガー付きのポンプディスペンサーが知られている（特許文献１参照）。
このポンプディスペンサー１００は、合成樹脂製の短筒状のキャップ１０１を備え、このキャップ１０１の上方には、合成樹脂製のカバー部材１０２が取り付けられている。
【０００３】
カバー部材１０２は、容器軸方向に沿って配置される円筒状の胴部１０２ａと、液体噴霧側と反対側に設けられたヒンジ部１０２ｂと、液体噴霧側に配置されヒンジ部１０２ｂを介して回動自在に一体化したトリガー１０２ｃとを備えている。
ヒンジ部１０２ｂは、カバー部材１０２の一部を小さい円弧状に折り曲げて形成されており、この部分がトリガー１０２ｃを回動させる際の支点となる。
【０００４】
カバー部材１０２の胴部１０２ａには、トリガー１０２ｃの回動を阻止するための板状のストッパ１０２ｄが、薄肉部を介して回動自在に設けられている。
このような構造のポンプディスペンサー１００は、それを使用しないときは、ストッパ１０２ｄによってトリガー１０２ｃの回動を拘束して（すなわち阻止して）おく。
【０００５】
また、使用時には、ストッパ１０２ｄの拘束を解除してトリガー１０２ｃを回動できる状態とする。
詳しくは、使用時にストッパ１０２ｄを下方に押し下げることにより、その先端をトリガー１０２ｃから外してその拘束を解除するのである。
【特許文献１】特願２００４−３１３２８号公報
【発明の開示】
【発明が解決しようとする課題】
【０００６】
しかしながら、上述したポンプディスペンサー１００では、トリガー１０２ｃの拘束を解除する際に、ストッパ１０２ｄを強く押し下げないとストッパ１０２ｄの先端と、トリガー１０２ｃの凹部の掛止は外れない。
何故なら、通常、幼児等が誤ってストッパ１０２ｄを容易に解除できないように、トリガー１０２ｃの凹部にストッパ１０２ｄの先端が嵌め込ませるように設計されており、その凹部から先端を脱出させるためにはストッパ１０２ｄを強く押し下げて湾曲させて外すからである。
このストッパ１０２ｄを押し下げる動作は、トリガー１０２ｃを回動させる方向とは直角方向であるために、通常、片方の手でポンプディスペンサー１００のトリガー１０２ｃに指を掛けて握っている状態においては、極めて外しにくいものである。
【０００７】
そのため、他方の手を使ってストッパ１０２ｄを強く押し下げて外す動作を必要とする。
このようなことから、ポンプディスペンサー１００を通常、握っている状態において、簡単にしかも確実にストッパ１０２ｄを外すことができるポンプディスペンサー１００が要望されていた。
【０００８】
本発明は、かかる背景をもとになされたもので、従来の問題点を克服することができるものである。
すなわち、本発明は、ポンプディスペンサーを片方の手で握ったままの状態で、トリガーの動きを拘束するストッパを解除できるトリガー付きポンプディスペンサーを提供することを目的とする。
【課題を解決するための手段】
【０００９】
かくして、本発明者は、このような課題背景に対して鋭意研究を重ねた結果、トリガーの拘束の解除をストッパの回動でなく、トリガーの逆回動を行うことによって、上記の問題点を解決することができることを見出し、この知見に基づいて本発明を完成させたものである。
【００１０】
すなわち、本発明は、（１）、トリガーの動きをストッパで阻止する構造のトリガー付きポンプディスペンサーであって、ストッパの基部はディスペンサーの胴部にヒンジ結合され、ストッパの先端部は、下方に付勢された状態でトリガーに掛止され、トリガーを動かすことで該掛止が解除されるトリガー付きポンプディスペンサーに存する。
【００１１】
そして、（２）、前記ストッパの先端部が、トリガーから突設された弾圧片により下方に付勢された状態でトリガーに掛止される上記（１）記載のトリガー付きポンプディスペンサーに存する。
【００１２】
そしてまた、（３）、前記トリガーには受け穴が形成されており、該受け穴の内壁にストッパの二股状先端部がその上側の股片により下方に付勢された状態で掛止されている上記（２）に記載のトリガー付きポンプディスペンサーに存する。
【００１３】
そしてまた、（４）、前記ストッパとの掛止を解く方向に前記トリガーの先端部を回動させた場合に、前記二股状先端部の下側の股片が前記トリガーの受け穴の内壁から外れ、上側の股片の弾圧力によりストッパが強制的に下方に押し下げられるものである上記（３）に記載のトリガー付きポンプディスペンサーに存する。
【００１４】
そしてまた、（５）、前記ストッパは、垂直方向に位置した状態で（ディスペンサーの胴部に取り付けられたキャップに沿った状態で）、その基部がディスペンサーの胴部から突設された突出部に係合される上記（１）に記載のトリガー付きポンプディスペンサーに存する。  
【００１５】
そしてまた、（６）、前記トリガーには受け穴が形成されており、該受け穴の内壁と下側のストッパの先端が係止されるものである上記（１）に記載のトリガー付きポンプディスペンサーに存する。
【００１６】
そしてまた、（７）、上記（１）ないし（６）のいずれか１項に記載のトリガー付きポンプディスペンサーが、ピストン上下移動型であるトリガー付きポンプディスペンサーに存する。
【００１７】
そしてまた、（８）、上記（１）ないし（６）のいずれか１項に記載のトリガー付きポンプディスペンサーが、ピストン左右移動型であるトリガー付きポンプディスペンサーに存する。
【００１８】
なお、本発明の目的に添ったものであれば、上記請求項を適宜組み合わせた構成も採用可能である。
【発明の効果】
【００１９】
本発明によれば、ストッパの基部はディスペンサーの胴部にヒンジ結合され、ストッパの先端部は、下方に付勢された状態でトリガーに掛止されるので、一方の手でポンプディスペンサー１００を握ったまま、トリガーをストッパとの掛止を解く方向に動かすと、付勢力によりストッパは下方に押し下げられ、強制的にストッパの先端はトリガーの掛止部から離隔する。
【００２０】
したがって、片方の手でポンプディスペンサーのトリガーに指を掛けて握っている状態において、トリガーの動きを拘束するストッパを簡単にしかも確実に外すことができる利点がある。
【００２１】
また、トリガーを時計回り方向、すなわち通常の回動方向とは逆方向に回動させてストッパを解除するために、幼児等が誤って解除するようなことが防止される。
【発明を実施するための最良の形態】
【００２２】
以下、本発明を実施するための最良の形態を図面に基づいて説明する。
［第１実施形態］
図１は本発明の第１実施形態に係るトリガー付きポンプディスペンサー（ピストン上下移動型）を示している。
図１（ａ）は正面図、図１（ｂ）は平面図、及び図１（ｃ）は側面図である。
このポンプディスペンサー１は、合成樹脂製の短筒状のキャップ２を備えている。
このキャップ２の外周面には滑り止め用の溝がキャップ厚さ方向に沿って一定間隔で多数形成されている。
【００２３】
一方キャップ２には、合成樹脂製のカバー部材４が取り付けられている。
なお、キャップ２の下方には、容器内の液体を吸い上げるための導入ホース３が設けられている。
カバー部材４は、容器軸方向に沿って配置される円筒状の胴部４ａと、液体噴霧側（ノズル５がある側）とは反対側に設けられたヒンジ部４ｂと、液体噴霧側に配置されヒンジ部４ｂを介して回動自在に一体化したトリガー４ｃとを備えている。
【００２４】
ヒンジ部４ｂは、カバー部材４の一部を小さい円弧状に折り曲げて形成されており、この部分がトリガー４ｃを回動させる際の支点となる。
また、カバー部材４にはトリガー４ｃとは反対側に、ポンプディスペンサー１を支えるための板状の環状のフック４ｄが形成されている。
【００２５】
ポンプディスペンサー１の使用時は、フック４ｄに指を通すのではなく、フック４ｄの下端に親指を当てがってトリガー４ｃを他の指で握ってポンプディスペンサー１を支持する。
なお、フック４ｄが環状に形成されているのは、例えば、ポンプディスペンサー１を壁等の支杆に引っ掛けておくためのものである。
【００２６】
一方、カバー部材４のフック４ｄとは反対側に、トリガー４ｃの回動を阻止するための板状のストッパ４ｅが、薄肉部を介して回動自在に設けられている。
このストッパ４ｅとトリガー４ｃとの掛止構造が本発明の最大の特徴である。
このストッパ４ｅの基部４ｅ１は、胴部４ａの突出部４ａ１に薄肉部を介してヒンジ結合されている。
ストッパ４ｅは二股状に形成され、この二股状先端部はその幅を縮小することで付勢力が発揮され弾圧的にトリガー４ｃに掛止されている。
【００２７】
より具体的には、ストッパ４ｅは、トリガー４ｃの内壁の２箇所に形成された突起部４ｃ１と突起部４ｃ２の間に、その先端を二股の間隔が狭まる方向へ弾性変形された状態で掛止されて保持される。
この突起部４ｃ１，４ｃ２が形成された部分には、トリガー４ｃの厚さ方向へ貫通する受け穴４ｃ３が形成されている。
この受け穴４ｃ３は、トリガー４ｃの横方向に形成された第１の穴と垂直方向の第２の穴とが連通されて１つの貫通穴となっている。
【００２８】
ポンプディスペンサー１を使用しないときは、ストッパ４ｅによりトリガー４ｃの回動は拘束されているが、使用時には、ストッパ４ｅを解除してトリガー４ｃを回動できる状態とする。
具体的には、トリガー４ｃをストッパ４ｅとの掛止を解く方向（時計回り方向）に回動させ、下側の股片４ｅ２をトリガー４ｃの受け穴４ｃ３の内壁である下側の突起部４ｃ２から外し、上側の股片４ｅ３の弾圧力によりストッパ４ｅを強制的に下方に押し下げる。
この押下げは、突き出すように作用するものである。
【００２９】
図２（ａ）は、図１のポンプディスペンサー１をその縦方向の断面を示している。
図に示すように、カバー部材４の胴部４ａより内側にはシリンダ８が設けられており、このシリンダ８の内側にはピストンＰが備わっている。
そして、このピストンＰはポンプディスペンサー１の高さ方向（上下方向）に沿ってシリンダ８内を摺動可能となっている。
すなわち、このポンプディスペンサー１は、ピストン上下移動型のポンプディスペンサー１である。
【００３０】
図２（ｂ）は、トリガー４ｃとストッパ４ｅとが掛止された状態を拡大して示している。
前述したように、トリガー４ｃには受け穴４ｃ３が形成されており、この受け穴４ｃ３の内壁にストッパ４ｅの二股状先端部がその上側の股片４ｅ３によって下方に付勢された状態で掛止されている。
【００３１】
そして、下側の股片４ｅ２が内壁に形成された下側の突起部４ｃ２の先端に係止されており、この状態では相当強くストッパ４ｅを押し下げても離脱することはない。
ここで係止とは、例えば図に示すように、トリガー４ｃ及びストッパ４ｅの先端形状が湾曲した先細り形状をしており、それらが相互に引っ掛かった状態をいう。
【００３２】
そして、ストッパ４ｅとの掛止を解く方向（時計回り）にトリガー４ｃの先端部を回動させた場合、二股状先端部の下側の股片４ｅ２がトリガー４ｃの受け穴４ｃ３の内壁（詳しくは突起部４ｃ２）から外れ、瞬時に上側の股片４ｅ３の弾圧力によりストッパ４ｅが強制的に下方に押し下げられる特有の作用を受ける。
【００３３】
以下、上側の股片４ｅ３の弾圧力によりストッパ４ｅが強制的に下方に押し下げられる動作について図３〜図６を用いて順次詳しく説明する。
図３は、ストッパ４ｅがトリガー４ｃに掛止された状態を示している（図７（ａ）参照）。
さて、この状態からトリガー４ｃを、時計回り方向、すなわち上方に回動させる。
このトリガー４ｃを逆回動させる角度は、例えば１．５度とすることが好ましい。
【００３４】
図４は、トリガー４ｃが上方に回動した状態を示している（図７（ｂ）参照）。
図に示すように、ここではストッパ４ｅの下側の股片４ｅ２は下側の突起部４ｃ２との掛止が解かれており、一方、上側の股片４ｅ３の先端の位置は突起部４ｃ１に接触したままである。
すなわち、弾性変形されていたストッパ４ｅの二股状先端部の間隔が弾発力によりまさに広げられようとする直前の状態である。
【００３５】
すると、図５に示すように、ストッパ４ｅは二股の間隔が広げられ、上側の股片４ｅ３が弾圧力により突起部４ｃ１を蹴り上げることで、ストッパ４ｅ自体は、反時計回りに勢い良く押し下げられる（図７（ｃ）参照）。
【００３６】
上側の股片４ｅ３の弾圧力が強いと、ストッパ４ｅはキャップ２に近づく位置まで押し下げられることとなる。
ここで図６は、指等を使ってストッパ４ｅを垂直方向にまで押し下げ、その基部４ｅ１を突出部４ａ１に形成された溝に係合させた状態を示す（図７（ｄ）参照）。
このようにすることで、ポンプディスペンサー１を使用中にストッパ４ｅが自由に揺動するのを防止することができる。
なお、その基部４ｅ１と突出部４ａ１の係合は、指でストッパ４ｅを逆方向に引くことで簡単に外すことができる。
【００３７】
図８は、トリガーを最大限まで引いた状態を示している。
この場合、トリガー４ｃがストッパ４ｅの股片４ｅ３に圧接されるために衝撃がなくソフトなタッチが得られる。
トリガー４ｃの押圧を解除すると、図示しない復帰構造によりトリガー４ｃは時計回り方向へ回動し元の位置に復帰する。
【００３８】
上述した第１実施形態では、ストッパ４ｅの基部４ｅ１はディスペンサー１の胴部４ａにヒンジ結合され、ストッパ４ｅの先端部は、下方に付勢された状態でトリガー４ｃに掛止されるので、トリガー４ｃをストッパ４ｅとの掛止を解く方向に動かすと、ストッパ先端がトリガー４ｃとの掛止部から離隔し弾圧力によりストッパ４ｅは下方に押し下げられる。
したがって、片方の手でポンプディスペンサー１のトリガー４Ｃに指を掛けて握っている状態において、トリガー４Ｃの動きを拘束するストッパ４ｅを簡単にしかも確実に外すことができる。
【００３９】
また、トリガー４ｃを引く方向と反対方向にトリガー４ｃを回動させてストッパ４ｅとの掛止を解く方式であるため、幼児等ではトリガー４ｃを逆方向に動かす動作は容易には思い付かないことからトリガー４ｃの拘束を誤って解除してしまうようなことが防止される。
【００４０】
特に、掛止を外す方向にトリガー４ｃを回動させた場合に、下側の股片４ｅ２が先にトリガー４ｃの受け穴４ｃ３の内壁から外れる構造にしたので、上側の股片４ｅ３の弾圧力によりストッパ４ｅが強制的に下方に突き出されるから、ポンプディスペンサー１を傾けたり、極端には逆さに向けても、トリガーの拘束を確実に解除することができる。
【００４１】
（変形例）
ここで、上述した第１実施形態のポンプディスペンサー１（ピストン上下移動型）のトリガー４ｃとストッパ４ｅとの掛止構造の変形例について説明する。
図９は、この変形例のポンプディスペンサー１であり、図９（ａ）はポンプディスペンサー１の縦方向の断面を示しており、図９（ｂ）はトリガー４ｃとストッパ４ｅとの掛止状態を拡大して示している。
【００４２】
この変形例のポンプディスペンサー１の内部構造は、上述した第１実施形態と同様であるが、トリガー４ｃとストッパ４ｅとの形状のみ異なる。
この変形例のトリガー４ｃには、受け穴４ｃ３が形成されており、この受け穴４ｃ３から弾圧片４ｃ１ａが突設されている。
そして受け穴４ｃ３の内壁とストッパ４ｅの先端とは掛止され、ストッパ４ｅはトリガー４ｃの弾圧片４ｃ１ａにより下方に付勢された状態となっている。
【００４３】
この変形例のストッパ４ｅの付勢力の作用は前述したものとは異なるので、弾圧片４ｃ１ａの弾圧力によりストッパ４ｅが強制的に下方に突き出される動作について、以下、図１０の模式図を用いて順次説明する。
図１０（ａ）は、ストッパ４ｅがトリガー４ｃに係止された状態を示している。
そして、この状態からトリガー４ｃを上方に回動させてストッパ４ｅの先端と突起部４ｃ２との掛止が解かれる。
図１０（ｂ）は、まさにストッパ４ｅが外れて下方へ押し下げられようとする状態を示す。
すると図１０（ｃ）に示すように、弾性変形されていた弾圧片４ｃ１ａの弾圧力により、ストッパ４ｅは強制的に下方へ勢い良く押し下げられる。
ストッパ４ｅは恰も弾圧片４ｃ１ａを突き出すように作用する。
【００４４】
図１０（ｄ）は、指等を使ってストッパ４ｅを垂直方向にまで押し下げ、その基部４ｅ１を突出部４ａ１に形成された溝に係合させた状態を示す（図９参照）。
【００４５】
この変形例のポンプディスペンサー１では、トリガー４ｃにストッパ４ｅを付勢する部分（弾圧片４ｃ１ａ）を形成したので、ストッパ４ｅを押圧する部分の形状の自由度を高めることができる。
第１実施形態のようにストッパ４ｅを二股状にし、一方を弾圧片とする場合、その弾圧片の大きさや板厚には制限があるが、トリガー４ｃの一部を弾圧片とすることでかかる問題が解消される。  
【００４６】
［第２実施形態］
図１１は本発明の第２実施形態に係るトリガー付きポンプディスペンサー（ピストン左右移動型）を示している。
図１１（ａ）は正面図であり、図１１（ｂ）は平面図であり、図１１（ｃ）は側面図である。
【００４７】
このポンプディスペンサー１は、トリガー６を下方に回動させることで、ピストンＰが右に移動するものである。
なお、ピストン左右移動型とは、図１１（ｃ）に鎖線で示すように、液体を噴霧するときに作動するピストンＰが左右に移動するタイプをいう。
【００４８】
以上、本発明を説明してきたが、本発明は上述した実施形態にのみ限定されるものではなく、その本質を逸脱しない範囲で、他の種々の変形が可能であることはいうまでもない。
例えば、上述した第１及び第２実施形態では、ストッパ４ｅの先端側を二股状にした例について説明したが、上側や下側の股片の形状は変形可能である。
要するに、弾圧的にトリガーに掛止される形状をしていれば良い。
【産業上の利用可能性】
【００４９】
本発明は、シャンプー等の粘性の高い液体の吐出、或いは化粧水等の粘性の低い液体の吐出・噴霧を手動操作により行うポンプディスペンサーに関するものであるが、その原理を用いる限り、他の噴射用の容器の分野にも適用可能であり、その応用分野は広範囲のも
きである。
【図面の簡単な説明】
【００５０】
【図１】図１は、本発明の第１実施形態に係るトリガー付きポンプディスペンサー（ピストン上下移動型）を示す説明図であり、図１（ａ）は正面図、図１（ｂ）は平面図、及び図１（ｃ）は側面図である。
【図２】図２は、図１のポンプディスペンサーの内部構造を示す説明図であり、（ａ）は図１のポンプディスペンサーの縦断面、（ｂ）はトリガーとストッパとの掛止状態を拡大した図である。
【図３】図３は、ストッパがトリガーに掛止された状態を示す説明図である。
【図４】図４は、トリガーが上方へ回動された状態を示す説明図である。
【図５】図５は、ストッパとトリガーとの掛止が解除されて押し下げられた状態を示す説明図である。
【図６】図６は、ストッパがポンプディスペンサーの胴部に取り付けられた蓋部に掛止した状態を示す説明図である。
【図７】図７は、図３〜図６に記載したストッパの位置の変化を模式的に示す説明図である。
【図８】図８は、トリガーを最大限まで引いた状態を示す説明図である。
【図９】図９は、図１のポンプディスペンサーの変形例を示す説明図であり、（ａ）はポンプディスペンサーの縦断面図、（ｂ）はトリガーとストッパとの掛止状態を拡大して図を示す。
【図１０】図１０は、ストッパの位置の変化を模式的に示す説明図であり、（ａ）はストッパがトリガーに掛止された状態、（ｂ）はストッパが上方へ回動させた状態、（ｃ）はストッパとトリガーとの掛止が解かれストッパが押し下げられた状態、及び（ｄ）はストッパがポンプディスペンサーの胴部に取り付けられた蓋部に掛止した状態を示している。
【図１１】図１１は、本発明の第２実施形態に係るトリガー付きポンプディスペンサー（ピストン左右移動型）を示す説明図であり、図１１（ａ）は正面図、図１１（ｂ）は平面図、及び図１１（ｃ）は側面図である。
【図１２】図１２は、従来のトリガー付きポンプディスペンサーのストッパ構造を示す説明図である。
【符号の説明】
【００５１】
１  ポンプディスペンサー
２  キャップ
３  導入ホース
４  カバー部材
４ａ  胴部
４ａ１  突出部
４ｂ  ヒンジ部
４ｃ  トリガー
４ｃ１，４ｃ２  突起部
４ｃ１ａ  弾圧片
４ｃ３  受け穴
４ｄ  フック
４ｅ  ストッパ
４ｅ１  基部
４ｅ２  下側の股片
４ｅ３  上側の股片
５  ノズル
５ａ  ノズルキャップ
６  トリガー
７  ストッパ
８  シリンダ
１００  ポンプディスペンサー
１０１  キャップ
１０２  カバー部材
１０２ａ  胴部
１０２ｂ  ヒンジ部
１０２ｃ  トリガー
１０２ｄ  ストッパ
Ｐ  ピストン
【図１】
2006116407.tif 000003
【図２】
2006116407.tif 000004
【図３】
2006116407.tif 000005
【図４】
2006116407.tif 000006
【図５】
2006116407.tif 000007
【図６】
2006116407.tif 000008
【図７】
2006116407.tif 000009
【図８】
2006116407.tif 000010
【図９】
2006116407.tif 000011
【図１０】
2006116407.tif 000012
【図１１】
2006116407.tif 000013
【図１２】
2006116407.tif 000014